(57)【要約】   【課題】大型画像表示部を有する光学装置を、防水状態で使用可能にするための防水ケースの内部に装填後に、入射角度が約３０度以上で入光する外光を遮断する遮光フードを防水ケースに対して固定することのできる遮光用フードおよびこれを用いた遮光方法の提供。  【解決手段】  液晶装置１１を有するデジタルカメラを内部に装填した後に、防水状態で使用可能にする防水ケース１２に対して着脱可能に用いられ画像表示部の周囲を防水ケースの外側から覆うことで、外光が入光することを防止するための遮光用フード１であって、液晶装置１１の表示面積より大きな面積を有するとともに、反射防止層を形成した光透過部材４の縁部を取り囲むとともに入射角度が約３０度以上の外光を遮断する奥行寸法Ｄを有する壁部２と、取付部３とを有する。【選択図】  図２
2007188016.tif 000002
【特許請求の範囲】
【請求項１】
液晶装置を含む大型画像表示部を有する光学装置を内部に装填した後に、防水状態で使用可能にする防水ケースに対して着脱可能に用いられ、前記大型画像表示部の周囲を前記防水ケースの外側から覆うことで、外光が前記画像表示部に入光することを防止するための遮光用フードであって、
前記大型画像表示部の表示面積より大きな面積を有するとともに、反射防止層を形成した光透過部材と、
前記光透過部材の縁部を取り囲むとともに、前記大型画像表示部に対する入射角度が約３０度以上の前記外光を遮断する奥行寸法を有する壁部と、前記光透過部材を前記大型画像表示部に対向する位置に固定させる取付部と、を有するフード部材と、
を備えることを特徴とする遮光用フード。
【請求項２】
前記光学装置は、撮影レンズをその前面に、撮影の各種設定を行う操作部を前記大型画像表示部とともにその裏面に配設したデジタルカメラであり、
前記防水ケースは、透明樹脂製のケース本体と、前記ケース本体に対して開閉または着脱可能に設けられるとともに水密状態を維持して固定される透明樹脂製の蓋体と、から構成され、
前記デジタルカメラを前記防水ケースの内部に装填したときに、前記大型画像表示部が前記ケース本体または前記蓋体に対向配置され、
前記取付部は、前記フード部材に形成される一方の係止部と、前記ケース本体または前記蓋体に形成される他方の係止部と、から構成されることを特徴とする請求項１に記載の遮光用フード。
【請求項３】
前記壁部は、前記大型画像表示部の周囲の上方部分を覆う屋根部と左右部分を覆う左右壁面部とを備え、前記他方の係止部が前記左右壁面部の縁部から突出するように黒色を含む暗色系の樹脂材料を用いて一体成型されることを特徴とする請求項１または２に記載の遮光用フード。
【請求項４】
液晶装置を含む大型画像表示部を有する光学装置を、防水状態で使用可能にする防水ケースの内部に装填し、
前記大型画像表示部の表示面積より大きな面積を有するとともに、反射防止層を形成した光透過部材と、前記光透過部材の縁部を取り囲むとともに、前記大型画像表示部に対する入射角度が約３０度以上の前記外光を遮断する奥行寸法を有する壁部と、前記光透過部材を前記大型画像表示部に対向する位置に固定させる取付部とを有するフード部材を、前記防水ケースの外側から前記大型画像表示部の周囲を覆うように取り付け、
外光が前記画像表示部に入光することを防止することを特徴とする遮光用フードを用いた遮光方法。
【発明の詳細な説明】
【技術分野】
【０００１】
本発明は、遮光用フードおよびこれを用いた遮光方法に係り、特に通常のデジタルカメラ、あるいはデジタルビデオカメラを、水中撮影用としても使用できるようにする防水ケースに使用される遮光用フードおよびこれを用いた遮光方法に関する。
【背景技術】
【０００２】
光学装置として水中撮影専用の水中撮影用カメラが実用化されている。このような水中撮影用カメラは高価であることから、通常のコンパクトカメラ、デジタルカメラ、あるいはデジタルビデオカメラを、水中撮影用としても使用できるように専用設計された防水ケースが機種別に実用化されている。
【０００３】
防水ケースは、水中ハウジングとも呼ばれ、アクリルなどの合成樹脂製のケース本体に対して開閉または着脱可能に設けられるとともに水密状態を維持するように固定される蓋体と、ケース本体と蓋体との間のシール面に配置されるＯリングを用いることで、水深５〜１００ｍ程度の水圧に耐えるように構成されている。（非特許文献１）
超微粒子を基板上に一層のみ高密度に規則正しく配列させることで、反射防止膜に適した塗膜を形成する方法が提案されている。（特許文献１）
また、イオンビームアシスト蒸着法においてアルゴンイオンの加速電圧を２００ｅＶ以下とすることで薄膜形成時の基材温度の上昇を抑えることにより膜強度が大きく、膜質に優れた反射防止膜を形成できることが提案されている。（特許文献２）
以上のようにして形成される反射防止膜を、裏面に配設された液晶装置である画像表示部の画像表示面上に形成することで外乱光の入光を防止して見やすくしたデジタルカメラも実用化されている。
【０００４】
また、このようなデジタルカメラを防水ケースの内部に装填するときに、画像表示部が防水ケースの透明なケース本体または蓋体に対向配置させ、防水ケースの外側から画面を見れるようにしているが、このときに、ケース本体または蓋体の表面に入光する外光の影響で画面が見ずらくなってしまう。
【０００５】
そこで、従来より着脱可能に設けられたフード部材を、設けることで、例えば入射角度が約３０度以上の外光を遮断することが行われている。図４は、従来のデジタルカメラを防水ケースの内部に装填後に液晶装置１１０に沿う断面で破断して示した図である。本図において、デジタルカメラ１０は、撮影レンズをその前面１０ａに、また撮影の各種設定を行う操作部を液晶装置１１０とともに裏面１０ｂに配設している。この液晶装置１１０の高さ寸法Ｈ１は図示のようにデジタルカメラ１０全体の高さ寸法の半分以下となっており、この液晶装置１１０に対して入光する入射角度が約３０度以上の外光を遮断するための小型の遮光フード１００が蓋体１１４に対して着脱可能に設けられている。
【０００６】
一方、近年のデジタルカメラ１０の大型液晶装置１１の高さ寸法Ｈ２は、図示のように裏面全体に及ぶように大きくなっており、これに伴い幅寸法も大きくなる傾向である。このような大型液晶装置１１に対して入射角度が約３０度以上で入光する外光を遮断するための遮光フード２００は、図示のように前後方向と、紙面表裏方向となる左右に大きくしなければならない。このため、蓋体１１４に対して遮光フードの固定ができなくなってしまう。
【０００７】
また、図示しないデジタルビデオカメラなどの光学装置の液晶装置も大型化する傾向にあるので、これにともない遮光フードの固定ができなくなる。
【非特許文献１】写真用語辞典  株式会社日本カメラ社  １９９７年６月３０日改訂版第１刷発行。
【特許文献１】特許第３３８３０５０号
【特許文献２】特許第２９３５７６９号
【発明の開示】
【発明が解決しようとする課題】
【０００８】
したがって、本発明は上記の問題点に鑑みて成されたものであり、液晶装置を含む大型画像表示部を有する光学装置を、防水状態で使用可能にするための防水ケースの内部に装填後に、入射角度が約３０度以上で入光する外光を遮断する遮光フードを防水ケースに対して固定することのできる遮光用フードおよびこれを用いた遮光方法の提供を目的としている。
【課題を解決するための手段】
【０００９】
上述した課題を解決し、目的を達成するために、本発明によれば、液晶装置を含む大型画像表示部を有する光学装置を内部に装填した後に、防水状態で使用可能にする防水ケースに対して着脱可能に用いられ、前記大型画像表示部の周囲を前記防水ケースの外側から覆うことで、外光が前記画像表示部に入光することを防止するための遮光用フードであって、前記大型画像表示部の表示面積より大きな面積を有するとともに、反射防止層を形成した光透過部材と、前記光透過部材の縁部を取り囲むとともに、前記大型画像表示部に対する入射角度が約３０度以上の前記外光を遮断する奥行寸法を有する壁部と、前記光透過部材を前記大型画像表示部に対向する位置に固定させる取付部と、を有するフード部材と、を備えることを特徴としている。
【００１０】
また、前記光学装置は、撮影レンズをその前面に、撮影の各種設定を行う操作部を前記大型画像表示部とともにその裏面に配設したデジタルカメラであり、前記防水ケースは、透明樹脂製のケース本体と、前記ケース本体に対して開閉または着脱可能に設けられるとともに水密状態を維持して固定される透明樹脂製の蓋体と、から構成され、前記デジタルカメラを前記防水ケースの内部に装填したときに、前記大型画像表示部が前記ケース本体または前記蓋体に対向配置され、前記取付部は、前記フード部材に形成される一方の係止部と、前記ケース本体または前記蓋体に形成される他方の係止部と、から構成されることを特徴としている。
【００１１】
また、前記壁部は、前記大型画像表示部の周囲の上方部分を覆う屋根部と左右部分を覆う左右壁面部とを備え、前記他方の係止部が前記左右壁面部の縁部から突出するように黒色を含む暗色系の樹脂材料を用いて一体成型されることを特徴としている。
【００１２】
そして、遮光用フードを用いた遮光方法であって、液晶装置を含む大型画像表示部を有する光学装置を、防水状態で使用可能にする防水ケースの内部に装填し、前記大型画像表示部の表示面積より大きな面積を有するとともに、反射防止層を形成した光透過部材と、前記光透過部材の縁部を取り囲むとともに、前記大型画像表示部に対する入射角度が約３０度以上の前記外光を遮断する奥行寸法を有する壁部と、前記光透過部材を前記大型画像表示部に対向する位置に固定させる取付部とを有するフード部材を、前記防水ケースの外側から前記大型画像表示部の周囲を覆うように取り付け、外光が前記画像表示部に入光することを防止することを特徴としている。
【発明の効果】
【００１３】
本発明の遮光用フードおよびこれを用いた遮光方法によれば、液晶装置を含む大型画像表示部を有する光学装置を、防水ケースの内部に装填後に、入射角度が約３０度以上で入光する外光を効果的に遮断する遮光用フードを小型に構成可能にすることで防水ケースに固定することが可能になる。
【発明を実施するための最良の形態】
【００１４】
以下に本発明の好適な各実施形態について、添付図面を参照して説明する。
【００１５】
ここで、以下の実施形態では光学装置として撮影用レンズ部が沈胴するタイプであって撮影レンズが光学ズーム系を備えた撮影用レンズの鏡胴と、ストロボを有する前面と、大型液晶表示部となる大型液晶装置を配置した裏面と、シャッターを配置した上面を備えた小型偏平箱型のデジタルカメラに対して専用設計された防水ケースについて主に述べるが、このように構成されるデジタルカメラに限定されず、固定焦点式のデジタルカメラでも良く、またはビデオカメラなどにも適用可能であることは言うまでもない。
【００１６】
図１(ａ)は着脱可能な光学装置である小型薄型のデジタルカメラ１０を防水ケース１２の内部の使用位置に装填した後の要部断面図、(ｂ)は通常サイズのデジタルカメラ１０を防水ケース１２の内部の使用位置に装填した後の要部断面図、（ｃ）は大型サイズのデジタルカメラ１０を防水ケース１２の内部の使用位置に装填した後の要部断面図である。
【００１７】
先ず、図１(ａ)において、小型薄型のデジタルカメラ１０は、透明樹脂製のケース本体１３に収納された後に、内部の不図示の部材によって図示される使用位置に装填されて、ケース本体１３のレンズ面１３ａに撮影レンズを対向させる。この後に、ケース本体１３の横方向の開口部付近で回動軸支部３１により回動軸支されている蓋体１４が図示のように蓋をされ、ロックレバー３２の操作でケース本体１３のフランジ部に埋設された連続したＯリング３０を軽く圧縮することで内部を完全な液密状態に維持する。この結果、悪天候下での撮影や、水中撮影に必要となる防水性を発揮できるように構成されている。
【００１８】
このように装填された後は、このデジタルカメラ１０のシャッターや各種操作ボタンキーであって通常は指先で直接操作される押圧スイッチ１５が、ケース本体１３の外部から押圧される押圧操作部に対向する状態となる。これにより、外部からの操作が可能となる。また、大型液晶装置１１は幅寸法Ｗを備えており、上記のように１０ｂ裏面に配置されているが、ケース本体１３が例えば透明なアクリルまたはポリカーボネイト樹脂製であることから、外部から見れるようになる。また、デジタルカメラ１０の裏面１０ｂ上には他にも各種押圧スイッチが設けられており、外部から操作するように構成されている。
【００１９】
また、ケース本体１３には他方の取付部となる係止部５が一体的または別部品として設けられており、これに対してフード部材２に形成される一方の係止部を図示のように係止することで遮光用フード１を任意に着脱可能に設けている。
【００２０】
この遮光用フード１は角度β度である約３０度以上の入射角度が入光する外光を効果的に遮断することで幅寸法Ｗの範囲の遮光を行うように構成されている。
【００２１】
続いて、図１(ｂ)において、図１(ａ)で既に説明済みの構成部品については同様の符号を附して説明を割愛すると、デジタルカメラ１０は、透明樹脂製のケース本体１３に収納された後に、内部の不図示の部材によって使用可能な位置に装填されており、ケース本体１３のレンズ面１３ａに撮影用のズームレンズが対向するようにしている。
【００２２】
その後、ケース本体１３の開口部の右側面の回動軸支部３１１で回動軸支されている蓋体１４が図示のように蓋をされ、ロックレバー３２の操作でケース本体１３のフランジ部に埋設されたＯリング３０を軽く圧縮することで内部を完全な液密状態に維持できるように構成されている。
【００２３】
図示のように蓋体１４は、デジタルカメラ１０の大型液晶装置１１に対向配置されるので、蓋体１４は透明樹脂製であって、この蓋体１４には他方の取付部となる係止部５が一体的または別部品として設けられており、これに対してフード部材２に形成される一方の係止部を図示のように係止することで遮光用フード１を任意に着脱可能に設けている。
【００２４】
そして、図１(ｃ)において、大型サイズのデジタルカメラ１０を装填するための防水ケース１２が図示されており、蓋体１４は、ケース本体１３から完全に分離して取り外し可能となるように構成されており、蓋体１４の左右縁部において回動軸支された左右のロックレバー３２、３２がケース本体１３のフック部１３ｆに対して係止する状態にすることで、上記の液密状態に維持できるように構成されている。
【００２５】
また、蓋体１４には上記のケース本体１３の開口縁部に合致する開口縁部が形成されており、これらの内外面に沿うシール面を形成している。この蓋体１４には他方の取付部となる係止部５が一体的または別部品として設けられており、これに対してフード部材２に形成される一方の係止部を図示のように係止することで遮光用フード１を任意に着脱可能に設けている。
【００２６】
以上説明した防水ケース１２が代表的な構成例があるが、これら以外にも光学装置の形状、着脱時の操作性などを考慮した上で随時設計されることは言うまでもない。
【００２７】
次に、図２は、図１（ｂ）の外観斜視図であって、遮光用フード１を蓋体１４の取付部５に対して挿入することで固定する様子を図示している。
【００２８】
本図において、既に説明済みの構成または部品については同様の符号を附して説明を割愛すると、デジタルカメラが防水ケース１２内に装填されることで、大型液晶装置１１は幅寸法Ｗと高さ寸法Ｈ２の範囲（破線図示）に映し出された大きな画像が蓋体１４から透過して見えることとなる。この範囲の右側には撮影のための各種設定を防水ケースの外部から行うための操作部１６が設けられている。
【００２９】
上記の範囲の４隅には他方の取付部となる係止部５が蓋体１４と一体成型または別部品として固定されている。具体的には上方の左右の係止部５は対向する開口部を形成しており、下方の左右の係止部には上記の開口部から連続した下方の底部がさらに形成されている。
【００３０】
一方、遮光用フード１は図示のように上記の破線範囲を取り囲むための枠体となるように形成された黒色樹脂製のフード部材２の４隅から外側に向けて突出形成され一方の係止部３を一体成型しており、これらの係止部３を上記の係止部５の夫々に対して矢印方向に移動およびスライドさせることで破線図示の範囲を取り囲むように構成されている。
【００３１】
このように破線図示の範囲を取り囲むために、フード部材２は破線図示の周囲の上方部分を覆う屋根部２ａと左右部分を覆う左右壁面部２ｂ、２ｃと底壁面部２ｄとを図示のように一体成型して準備される。さらに底壁面部２ｄにはストラップ取付用の孔部６が穿設されている。このストラップの他端を防水ケースに固定することで吊り下げられる状態になるので紛失防止を効果的に行うことができることとなる。
【００３２】
上記の各壁面部は奥行寸法Ｄを有しているが、この奥行寸法Ｄでは画像表示部に対する入射角度α、βが約３０度以上の外光を遮断することはできない、このため反射防止層を形成した光透過部材４とともに外光を遮断するように構成されている。
【００３３】
この反射防止層を形成した光透過部材４は、大型液晶装置１１の表示面積より大きな面積を有するとともに、このフード部材２が画像表示部に対向する開口縁部に対して図示のように固定されている。
【００３４】
次に、図３は遮蔽用フード１の使用状態を示す断面図である。本図において、既に説明済みの構成または部品については同様の符号を附して説明を割愛すると、光透過部材４はフード部材の溝部２ｋにその縁部が嵌合されて固定されている。
【００３５】
また外光は主に上方と左右から進入し、下方からは入る場合が少ないので、破線図示のフード部材の底壁面部２ｄは削除して左右壁面部２ｂの縁部を傾斜面として形成しても良い。
【００３６】
この光透過部材４はアクリルなどの合成樹脂製であり、超微粒子を基板上に一層のみ高密度に規則正しく配列させることで、反射防止膜に適した塗膜を形成するか、またはイオンビームアシスト蒸着法においてアルゴンイオンの加速電圧を２００ｅＶ以下とすることで薄膜形成時の基材温度の上昇を抑えることにより膜強度が大きく、膜質に優れた反射防止膜を形成して準備されている。
【００３７】
以上のようにして形成される反射防止膜によれば、図示のように入射角度αの約３０度で入光した外光を効果的に反射することが可能となる。
【００３８】
なお、以上のように構成されるデジタルカメラ１０を収容する防水ケース１２のケース体と蓋体１４はポリカーボネイトやアクリル樹脂などの透明樹脂材料を用いて射出成形または成型されるので、内部の様子が全て外部から見えることとなる。また、別用途としてデジタルカメラ類をゴミや湿気から保護でき、さらに携帯時に思わぬ外力から保護する使用目的で用いることもできる。
【００３９】
以上説明したように、遮光用フードを取り付けることで大型液晶装置１１を備えたデジタルカメラ１０を、防水ケース１２の内部に装填後に、入射角度が約３０度以上で入光する外光を効果的に遮断することが可能になる。
【図面の簡単な説明】
【００４０】
【図１】(ａ)は着脱可能な光学装置である小型薄型のデジタルカメラ１０を防水ケース１２の内部の使用位置に装填した後の要部断面図、(ｂ)は通常サイズのデジタルカメラ１０を防水ケース１２の内部の使用位置に装填した後の要部断面図、（ｃ）は大型サイズのデジタルカメラ１０を防水ケース１２に装填した後の要部断面図である。
【図２】は遮光用フード１を蓋体１４の取付部５に対して挿入することで固定する様子を図示した図１（ａ）の外観斜視図である。
【図３】遮蔽用フード１の使用状態を示す断面図である。
【図４】デジタルカメラを防水ケースの内部に装填後に液晶装置１１０に沿う断面で破断して示した従来構成の断面図である。
【符号の説明】
【００４１】
１  遮蔽用フード
２  フード部材
３  一方の係止部（取付部）
４  反射防止部材
５  他方の係止部（取付部）
１０  デジタルカメラ（光学装置）
１３  ケース本体
１４  蓋体
【図１】
2007188016.tif 000003
【図２】
2007188016.tif 000004
【図３】
2007188016.tif 000005
【図４】
2007188016.tif 000006